(57)【要約】【課題】荷箱内から簡単に確実に解錠することができる操作性に優れた掛金装置を提供することである。【解決手段】扉Ａに取付けられた固定座板１１に一対の側壁１２を設け、その側壁１２によって下端部が支持されたレバー支持体１６の上部の二股片２３によって扉開閉用ハンドル４をロック位置で保持するフックレバー２４の中央部を揺動自在に支持する。レバー支持体１６に保持レバー３６を揺動自在に取付け、その保持レバー３６を固定座板１１に設けられた係合片１４に係合させてレバー支持体１６を起立状態に保持する。保持レバー３６に操作片３７を設ける。扉Ａをスライド自在に貫通するプッシュロッド４２を扉内面側から押し込み、そのプッシュロッド４２で操作片３７を押圧して保持レバー３６を係合解除させると共に、プッシュロッド４２をさらに押し込んでレバー支持体１６と共にフックレバー２４を伏倒させて扉開閉用ハンドル４の保持を解除する。【選択図】図５
2005282011.tif 000002
【特許請求の範囲】
【請求項１】
扉の戸先側端部に取付けられ、表面両側部に対向一対の側壁が設けられた固定座板と、前記一対の側壁により下端部が支持された起伏可能なレバー支持体と、そのレバー支持体の上部に形成された二股片により長さ方向の中央部が回動自在に支持され、上部に形成されたフックによって扉開閉用ハンドルの上方への揺動を防止するフックレバーと、前記フックが扉開閉用ハンドルと係合する方向にフックレバーを付勢するスプリングと、前記レバー支持体に揺動自在に支持され、固定座板に設けられた係合片に対する係合によってレバー支持体の伏倒方向への揺動を阻止する保持レバーと、その保持レバーを係合方向に向けて付勢するスプリングと、扉内面側からの操作によって保持レバーを係合解除方向に揺動させる操作手段とから成る扉開閉用ハンドルの掛金装置。
【請求項２】
前記操作手段が、扉をスラスド自在に貫通して先端が保持レバーの揺動側端部に連設された操作片に対向するプッシュロッドと、そのプッシュロッドを操作片から離反する方向に付勢するリターンスプリングとから成る請求項１に記載の扉開閉用ハンドルの掛金装置。
【請求項３】
前記フックレバーを係合方向に付勢するスプリングが圧縮スプリングから成り、その圧縮スプリングをフックレバーの係合解除方向への揺動途中で付勢方向が切り換えられるように設けた請求項１又は２に記載の扉開閉用ハンドルの掛金装置。
【請求項４】
前記フックレバーのフック上側に、伏倒方向に揺動される扉開閉用ハンドルとの接触によりフックレバーを伏倒方向に揺動させるテーパ面を設けた請求項１乃至３のいずれかに記載の扉開閉用ハンドルの掛金装置。
【発明の詳細な説明】
【技術分野】
【０００１】
この発明は、主として、貨物自動車の荷箱に設けられた扉開閉用ハンドルをロック位置で施錠する掛金装置に関するものである。
【背景技術】
【０００２】
一般に、貨物自動車の荷箱においては、後部あるいは側部に設けられた開口を開閉する扉の外面に一対の軸受を取付け、その軸受によって両端部が回転自在に支持されたロックシャフトに扉開閉用ハンドルの一端部を回動自在に連結し、その扉開閉用ハンドルの操作によりロックシャフトを回転し、そのロックシャフトの上下両端部に設けられたロックカムを荷箱の上下に設けられたカムキーパに係合させて、扉を閉鎖状態に保持するようにしている。
【０００３】
また、扉の外面に掛金装置を設け、その掛金装置によって扉開閉用ハンドルをロック位置で施錠するようにしている。
【０００４】
扉開閉用ハンドルをロック位置で施錠する掛金装置として、特許文献１に記載されたものが従来から知られている。
【０００５】
上記特許文献１に記載された掛金装置においては、扉に取付けられる固定本体に可動本体の下端部を回動自在に取付け、その可動本体の上部に形成された割溝部にフックレバーを嵌合して起伏自在に支持し、上記フックレバーをばね機構により起立方向に向けて付勢し、フックレバーの先端に設けられたフック部をロック位置に揺動させた扉開閉用ハンドルの上側に係合させて、上記扉開閉用ハンドルをロック位置で施錠するようにしている。
【０００６】
上記のような掛金装置は扉の外面に取付けられているため、荷物の積みおろしを行なう作業者が荷箱内に入っている状態で、万一、扉開閉用ハンドルが施錠されると、荷箱内に作業者が閉じ込められて脱出することができず、保冷車の場合にはきわめて危険である。
【０００７】
そのような問題点を解決するため、上記特許文献１に記載された掛金装置においては、固定本体にコネクタを揺動自在に取付け、そのコネクタの先端の爪部を可動体に設けられた係止凹部に係合させ、そのコネクタを扉の内側に引き抜き可能なストッパによって係合状態に保持し、上記ストッパの引き抜きによりコネクタを係合解除させたのち、扉を荷箱内から押し込むことにより可動体と共にフックレバーを伏倒させて、掛金装置を解錠するようにしている。
【特許文献１】特開平９−２８７３３４号公報
【発明の開示】
【発明が解決しようとする課題】
【０００８】
ところで、上記特許文献１に記載された掛金装置においては、ストッパの引き抜きによりコネクタを自重によって係合解除方向に揺動させる構成であるため、ストッパの回動中心部の抵抗が大きい場合、コネクタを係合解除させることができず、扉内面側からの掛金装置の解錠の信頼性が乏しいという不都合がある。
【０００９】
また、フックレバーを伏倒させる解錠に際し、ストッパを引き抜く操作と、扉を押し込む２つの操作を必要とするため、操作性が悪いという不都合もある。
【００１０】
この発明の課題は、荷箱内から簡単に、確実に解錠することができる操作性に優れた扉開閉用ハンドルの掛金装置を提供することである。
【課題を解決するための手段】
【００１１】
上記の課題を解決するために、この発明においては、扉の戸先側端部に取付けられ、表面両側部に対向一対の側壁が設けられた固定座板と、前記一対の側壁により下端部が支持された起伏可能なレバー支持体と、そのレバー支持体の上部に形成された二股片により長さ方向の中央部が回動自在に支持され、上部に形成されたフックによって扉開閉用ハンドルの上方への揺動を防止するフックレバーと、前記フックが扉開閉用ハンドルと係合する方向にフックレバーを付勢するスプリングと、前記レバー支持体に揺動自在に支持され、固定座板に設けられた係合片に対する係合によってレバー支持体の伏倒方向への揺動を阻止する保持レバーと、その保持レバーを係合方向に向けて付勢するスプリングと、扉内面側からの操作によって保持レバーを係合解除方向に揺動させる操作手段とから成る構成を採用したのである。
【００１２】
ここで、操作手段として、扉をスラスド自在に貫通して先端が保持レバーの揺動側端部に連設された操作片に対向するプッシュロッドと、そのプッシュロッドを操作片から離反する方向に付勢するリターンスプリングとから成るものを採用することができる。
【００１３】
この発明に係る扉開閉用ハンドルの掛金装置において、前記フックレバーを係合方向に付勢するスプリングが圧縮スプリングから成り、その圧縮スプリングをフックレバーの係合解除方向への揺動途中で付勢方向が切り換えられるように設けることによって、フックレバーを係合状態または係合解除状態に保持することができ、フックレバーの下端部の押し込みを解除する状態で扉開閉用ハンドルを起伏方向に揺動させることができる。
【００１４】
また、フックレバーのフックの上側にテーパ面を設けておくと、ロック位置に揺動させた扉開閉用ハンドルをフックレバー上より下向きに揺動させると、テーパ面が扉開閉用ハンドルで押されてフックレバーが伏倒する方向に揺動すると共に、その扉開閉用ハンドルがフックの位置を通過するとスプリングの弾力によりフックレバーが係合位置に戻されるため、扉開閉用ハンドルを自動的に施錠することができる。
【発明の効果】
【００１５】
上記の構成から成る掛金装置においては、扉内面側から操作手段を操作して保持レバーを押し込むと、その保持レバーが揺動して係合片に対する係合が解除され、その係合解除状態から保持レバーをさらに押し込むと、レバー支持体が下部を中心に伏倒する方向に揺動すると共に、そのレバー支持体と共にフックレバーが揺動して伏倒状態とされ、扉内面側、すなわち荷箱内から掛金装置を確実に解錠することができる。また、その解錠操作が操作手段の押し込みによる１つの操作であるため、操作性に優れた掛金装置を得ることができる。
【発明を実施するための最良の形態】
【００１６】
以下、この発明の実施の形態を図面に基づいて説明する。図１に示すように、貨物自動車の荷箱の開口を開閉する扉Ａは図示省略したヒンジにより一側部が支持されて開閉自在とされ、その扉Ａの戸先側端部の外側に上下方向に延びるロックシャフト１が設けられている。
【００１７】
ロックシャフト１は扉Ａの外面に取付けられた図示省略の軸受によって上下端部が回動自在に支持され、そのロックシャフト１を軸心を中心にして回転させると、上下端部に設けられた図示省略のロックカムが荷箱の上下に設けられたカムキーパに係合して扉Ａが閉鎖状態に保持されるようになっている。
【００１８】
ロックシャフト１の長さ方向に中央部には一対の支持片２が設けられ、その支持片２に支持されたピン３によって扉開閉用ハンドル４の一端部が回動自在に支持されている。この扉開閉用ハンドル４をロックシャフト１を中心に揺動させると、ロックシャフト１が回転すると共に、上記扉開閉用ハンドル４を扉Ａの外面にほぼ平行する位置（ロック位置）まで揺動させると、ロックシャフト１の上下端のロックカム（図示省略）がカムキーパ（図示省略）に係合して、扉Ａは閉鎖状態でロックされるようになっている。
【００１９】
扉Ａの外面には、ロック位置に変位させた扉開閉用ハンドル４をロックする掛金装置１０が設けられている。
【００２０】
図１および図２に示すように、掛金装置１０は、固定座板１１を有し、その固定座板１１の表面両側部に一対の側壁１２が設けられ、その側壁１２の上部間に形成された抜き窓１３の上辺から下向きに係合片１４が設けられている。
【００２１】
また、固定座板１１には複数のボルト挿入孔１５が形成され、各ボルト挿入孔１５に挿入されて扉Ａにねじ係合されるボルトの締付けによって固定座板１１が扉Ａに固定される。
【００２２】
座板１１の一対の側壁１２間にはレバー支持体１６が嵌合されている。図７に示すように、レバー支持体１６の両側下部には一対のピン孔１７が同軸上に設けられ、各ピン孔１７内にピン１８と、そのピン１８を外方に押圧するスプリング１９が組込まれている。
【００２３】
ピン１８は、図２に示すように、一対の側壁１２の対向内面の下部に設けられたピン孔２０に対して挿入可能とされ、上記ピン孔２０に対するピン１８の挿入によって、レバー支持体１６はピン１８を中心として起伏自在に支持されている。
【００２４】
ここで、ピン孔２０は、固定座板１１をダイキャストで製造する関係から長孔とされているが、円形孔であってもよい。ピン孔２０が長孔から成る場合、図５に示すように、固定座板１１の扉Ａに対する対向面の下部にコの字形押え枠２１をねじ止めし、その押え枠２１の両端の折曲片２２によってピン１８がピン孔２０に沿って移動するのを防止する。
【００２５】
図２および図４に示すように、レバー支持体１６は二股片２３を上部に有し、その二股片２３間にフックレバー２４が設けられている。フックレバー２４は、二股片２３により両端部が支持されたピン２５によって長さ方向のほぼ中央部が回動自在に支持されている。このため、フックレバー２４はピン２５を中心として起伏自在とされ、その起立状態で上部が二股片２３の上面より上方に位置すると共に、下端部は上記二股片２３の下部間に設けられたストッパプレート２６と前後で対向し、上記ストッパプレート２６の内面に対するフックレバー２４の下端部の当接によってフックレバー２４は上部が固定座板１１に向けて倒れる方向に揺動するのが阻止される。
【００２６】
図４および図７に示すように、フックレバー２４の固定座板１１に対する対向面の中程には突部２７が設けられている。また、フックレバー２４の上端部にはフック２８が設けられ、そのフック２８の上側にはテーパ面２８ａが設けられている。
【００２７】
突部２７はフックレバー２４が起立する状態において、その上面が固定座板１１に形成された側壁１２の上面とほぼ同じ高さとされ、その突部２７と側壁１２の上面とで扉開閉用ハンドル４を支持するようになっている。その支持状態でフック２８は扉開閉用ハンドル４の上側に対向し、扉開閉用ハンドル４の上方への揺動を阻止するようになっている。
【００２８】
図７に示すように、レバー支持体１６の固定座板１１に対する対向面には左右一対の突出部２９が設けられ、その一対の突出部２９にばね座３０の両端部が固定されている。
【００２９】
図４に示すように、ばね座３０は傾斜板部３１を有し、その傾斜板部３１の上縁にスプリングホルダ３２の一端に設けられた二股片３２ａが係合している。また、スプリングホルダ３２の他端には二股片３２ｂが設けられ、その二股片３２ｂはフックレバー２４の突部２７の下方に設けられたピン３３と係合している。
【００３０】
スプリングホルダ３２の外側には圧縮スプリング３４が設けられ、そのスプリング３４はフック２８が突部２７で支持された扉開閉用ハンドル４の上面と係合する方向に向けてフックレバー２４を付勢している。
【００３１】
ここで、圧縮スプリング３４はピン２５を中心にフックレバー２４が伏倒方向に揺動してピン３３が傾斜板部３１の上縁とピン２５を結ぶ直線を超えた位置まで揺動したとき、付勢方向が切り換えられて、フックレバー２４を伏倒する方向に付勢するようになっている。
【００３２】
図５に示すように、レバー支持体１６には固定座板１１に設けられた係合片１４と対応する位置にレバー支持ピン３５が設けられ、そのレバー支持ピン３５を中心にして保持レバー３６が揺動自在に支持されている。
【００３３】
保持レバー３６は、係合片１４に対して係合可能な鈎部３６ａを先端部に有し、その鈎部３６ａから下方に向けて操作片３７が連設されている。
【００３４】
保持レバー３６がレバー支持ピン３５に支持されたスプリング３８によって鈎部３６ａが係合片１４と係合する方向に付勢され、上記鈎部３６ａと係合片１４の係合によってレバー支持体１６は起立状態に保持されている。
【００３５】
扉Ａには、その内面側からの操作により上記操作片３７を押し込んで保持レバー３６を係合解除方向に揺動させる操作手段４０が設けられている。
【００３６】
操作手段４０は、扉Ａに設けられた貫通孔４１にプッシュロッド４２をスライド自在に挿入し、そのプッシュロッド４２の頭部に設けられたプッシュ釦４２ａを扉Ａの内面に取付けたケース４３内にスライド自在に嵌合すると共に、ケース４３内に組込んだリターンスプリング４４によってプッシュ釦４２ａがケース４３の開口に設けられた内向きフランジ４５に押し付けられる方向にプッシュロッド４２を付勢し、上記プッシュ釦４２ａの押し込みにより、プッシュロッド４２の先端で操作片３７の先端を押圧して保持レバー３６を係合解除方向に揺動させるようにしている。
【００３７】
図４に示すように、レバー支持体１６の下部には錠前ユニット５０が取付けられている。錠前ユニット５０は、図２に示すキー溝５１を有し、そのキー溝５１に対するキーの差し込みと回転とによりシリンダ５２を回転させて、シリンダ５２の端部に取付けた制動片５３を回転させるようにしており、上記制動片５３をフックレバー２４の下端部に対向させることによって、フックレバー２４を起立状態でロックし得るようになっている。
【００３８】
実施の形態で示す掛金装置は上記の構造から成り、扉Ａを閉めた状態でロックシャフト１を中心に扉開閉用ハンドル４を扉Ａの外面にほぼ平行するロック位置まで揺動させると、ロックシャフト１の上下端部に設けられた図示省略のロックカムがカムシャフトに係合して、扉Ａは閉鎖状態にロックされる。
【００３９】
扉Ａをロックさせた状態において、扉開閉用ハンドル４をフックレバー２４の上方位置まで移動させてから下向きに揺動させると、扉開閉用ハンドル４がフックレバー２４のフック２８に設けられたテーパ面２８ａに当接する。その当接状態から扉開閉用ハンドル４をさらに下向きに揺動させると、テーパ面２８ａが扉開閉用ハンドル４で押圧されるため、フックレバー２４が圧縮スプリング３４の弾性に抗して伏倒する方向に揺動する。
【００４０】
扉開閉用ハンドル４がフック２８の位置を通過すると、圧縮スプリング３４の復元弾性によりフックレバー２４が係合位置に向けて揺動して、上部のフック２８が図４に示すように、扉開閉用ハンドル４の上側に対向すると共に、扉開閉用ハンドル４は突部２７により支持されて、上下方向に揺動するのが防止され、扉開閉用ハンドル４は施錠状態とされる。
【００４１】
扉Ａの解放に際しては、フックレバー２４の下端部を押し込み、ピン２５を中心とするフックレバー２４の伏倒方向への揺動により、フック２８を扉開閉用ハンドル４の上側から退避させたのち、扉開閉用ハンドル４を上方に揺動させる。そして、その扉開閉用ハンドル４をロックシャフト１を中心に揺動させ、その揺動によるロックシャフト１の回転によってロックカムとカムテーパの係合を解除させる。この係合解除によって、扉Ａを解放させることができる。
【００４２】
ここで、フックレバー２４の伏倒方向への揺動時、図４に示すピン３３はピン２５を中心に揺動し、そのピン３３が傾斜板部３１の上縁とピン２５の中心を結ぶ直線を越える位置までピン３３が揺動すると、圧縮スプリング３４がフックレバー２４を押圧する付勢方向が切り換り、フックレバー２４は上記圧縮スプリング３４によって伏倒方向に付勢される。
【００４３】
このため、フックレバー２４の押圧を解除しても、フックレバー２４は伏倒状態に保持される。したがって、フックレバー２４の押圧解除状態で扉開閉用ハンドル４の引き上げを行なうことができ、扉開閉用ハンドル４を上方に向けて容易に揺動させることができる。
【００４４】
荷箱内に作業者が入り込んだ状態で万一扉開閉用ハンドル４がロック位置で施錠されて、荷箱内に作業者が閉じ込められた場合には、図５に示すプッシュ釦４２ａを押し込むようにする。
【００４５】
プッシュ釦４２ａを押し込むと、プッシュロッド４２が軸方向に移動して保持レバー３６に設けられた操作片３７が押圧されるため、保持レバー３６がピン３５を中心に揺動して係合片１４に対する鈎部３６ａの係合が解除される。
【００４６】
保持レバー３６の係合解除状態において、プッシュロッド４２のプッシュ釦４２ａをさらに押し込むと、レバー支持体１６がピン１８を中心にして伏倒方向に揺動する。
【００４７】
このとき、フックレバー２４もレバー支持体１６と共に伏倒する。図６は、レバー支持体１６およびフックレバー２４の伏倒状態を示し、上記フックレバー２４の伏倒により掛金装置１０は解錠状態となり、扉開閉用ハンドル４の保持が解除される。そこで、扉Ａを荷箱内から押圧することによって扉Ａを解放させることができる。
【００４８】
このように、プッシュ釦４２ａの押し込みによりプッシュロッド４２を軸方向に移動させて保持レバー３６の操作片３７を押圧することによって、保持レバー３６を確実に係合解除させることができると共に、そのプッシュロッド４２でレバー支持体１６を押し込むようにしたので、レバー支持体１６を確実に伏倒させることができ、掛金装置１０を扉Ａの内面側から確実に解錠させることができる。
【００４９】
また、掛金装置１０の解錠操作がプッシュ釦４２ａの押し込みによる１つの操作であるため、操作性に優れた掛金装置を得ることができる。
【００５０】
実施の形態では、操作手段４０としてプッシュ釦４２ａを有するプッシュロッド４２の押し込みにより保持レバー３６を係合解除方向に揺動させるようにしたものを示したが、操作手段４０はこれに限定されるものではない。例えば、扉Ａの内面側に紐の一端部を臨ませ、その紐を引く操作により保持レバー３６を係合解除方向に揺動させて掛金装置１０を非常解錠させるようにしてもよい。
【図面の簡単な説明】
【００５１】
【図１】この発明に係る掛金装置の実施の形態を示す斜視図
【図２】図１に示す掛金装置の固定座板とフックレバーが支持されたレバー支持体とを示す分解斜視図
【図３】図１に示す掛金装置の背面図
【図４】図３のIV−IV線に沿った断面図
【図５】図３のＶ−Ｖ線に沿った断面図
【図６】掛金装置の解錠状態を示す側面図
【図７】図１に示す掛金装置の分解斜視図
【符号の説明】
【００５２】
Ａ      扉
４      扉開閉用ハンドル
１１    固定座板
１２    側壁
１４    係合片
１６    レバー支持体
２３    二股片
２４    フックレバー
２８    フック
２８ａ  テーパ面
３４    圧縮スプリング
３６    保持レバー
３７    操作片
３８    スプリング
４０    操作手段
４２    プッシュロッド
４４    リターンスプリング
【図１】
2005282011.tif 000003
【図２】
2005282011.tif 000004
【図３】
2005282011.tif 000005
【図４】
2005282011.tif 000006
【図５】
2005282011.tif 000007
【図６】
2005282011.tif 000008
【図７】
2005282011.tif 000009